(57)【特許請求の範囲】
【請求項１】
押圧体の押し込みに連動して内部の可動接点部材が作動するプッシュ式スイッチと、このプッシュ式スイッチの押圧体に押し込み力を伝えるピアノハンドルと、前記プッシュ式スイッチが装着される取付枠と、この取付枠に装着される化粧プレート枠とを備えた配線器具であって、
前記ピアノハンドルを、前記化粧プレート枠に回動自在に装着することを特徴とする配線器具。
【請求項２】
請求項１記載の配線器具において、
前記化粧プレート枠は、前記ピアノハンドルが配置される開口部を有するとともに、該開口部の一端縁部にピアノハンドルを回動自在に支持するための支持部が形成されており、
前記ピアノハンドルは、前記支持部へ回動自在に係合する支持係合部を一端縁部に有することを特徴とする配線器具。
【請求項３】
請求項１又は２記載の配線器具において、
前記プッシュ式スイッチのボス部を突出して形成するとともに、このボス部の上端角部に係止部を形成し、
かつ、前記係止部に係合してピアノハンドルの回動範囲を規制する係合部を、前記ピアノハンドルの下面から垂下して設けたことを特徴とする配線器具。
【請求項４】
請求項１乃至３のいずれか一項に記載した配線器具において、
前記化粧プレート枠を、前記取付枠に装着するプレート枠と、このプレート枠に装着する化粧プレートとで構成したことを特徴とする配線器具。
【請求項５】
請求項１乃至５のいずれか一項に記載した配線器具において、
前記取付枠を、前記プッシュ式スイッチが装着される絶縁性の本体枠と、この本体枠に装着される金属製の補強枠とで構成したことを特徴とする配線器具。
【請求項６】
押圧体の押し込みに連動して内部の可動接点部材が作動するプッシュ式スイッチと、このプッシュ式スイッチが装着される取付枠と、この取付枠に装着される化粧プレート枠とを含む配線器具に用いられるピアノハンドルであって、
前記化粧プレート枠に回動自在に装着され、前記プッシュ式スイッチの押圧体に押し込み力を伝えるピアノハンドル。
【請求項７】
請求項６記載のピアノハンドルにおいて、
前記化粧プレート枠に形成した支持部へ回動自在に係合する支持係合部を一端縁部に有することを特徴とするピアノハンドル。
【請求項８】
請求項６又は７記載のピアノハンドルにおいて、
前記プッシュ式スイッチのボス部に形成された係止部に係合して回動範囲を規制する係合部を、下面から垂下して設けたことを特徴とするピアノハンドル。
【請求項９】
押圧体の押し込みに連動して内部の可動接点部材が作動するプッシュ式スイッチと、このプッシュ式スイッチの押圧体に押し込み力を伝えるピアノハンドルと、前記プッシュ式スイッチが装着される取付枠とを含む配線器具に用いられる化粧プレート枠であって、
前記取付枠に装着されるとともに、前記ピアノハンドルを回動自在に装着することを特徴とする化粧プレート枠。
【請求項１０】
請求項９記載の化粧プレート枠において、
前記ピアノハンドルが配置される開口部を有するとともに、該開口部の一端縁部にピアノハンドルを回動自在に支持するための支持部を形成したことを特徴とする化粧プレート枠。
【請求項１１】
取付枠と、この取付枠に装着される化粧プレート枠と、この化粧プレート枠に回動自在に装着されるとともに、係合部が下面から垂下して形成されたピアノハンドルとを含む配線器具に用いられるプッシュ式スイッチであって、
ボス部に、前記ピアノハンドルの係合部が係合して同ピアノハンドルの回動範囲を規制する係止部を形成したことを特徴とするプッシュ式スイッチ。
【発明の詳細な説明】
【０００１】
【発明の属する技術分野】
この発明は、ピアノハンドルによりプッシュ式スイッチを切替え作動させる構成の配線器具、並びにこの配線器具の構成部品として用いられるピアノハンドル、化粧プレート枠及びプッシュ式スイッチに関する。
【０００２】
【従来の技術】
従来のこの種の配線器具として、例えば、特開平８−３３５４２８号公報に開示されたピアノハンドル式スイッチがある。
同公報に開示されたピアノハンドル式スイッチは、図２２に示すように、ピアノハンドル５００を押釦スイッチ５１０に装着してなり、押釦スイッチ５１０の支点係止部５１１を中心にピアノハンドル５０が回動自在となっていた。
【０００３】
また、押釦スイッチ５１０には、ピアノハンドル５００に設けた移動規制用係止片５０１の移動領域を確保するための凹部５１２が形成してあり、ピアノハンドル５００の回動と一体に移動規制用係止片５０１がこの凹部５１２内で移動するとともに、上昇端において移動規制用係止片５０１が係止爪５１３と係合して、ピアノハンドル５００の図示反時計周りの回動を規制する構成を備えていた。
【０００４】
【発明が解決しようとする課題】
さて、上記従来のピアノハンドル式スイッチは、図２３に示すような取付枠５２０に装着される。取付枠５２０は、室内の壁面などに埋設された配線ボックスにねじ止めされるが、このときの締結力が強いと、取付枠５２０が壁面より沈み込んでしまうことがある。
【０００５】
従来のピアノハンドル式スイッチは、上述したように押釦スイッチ５１０にピアノハンドル５００を装着していたので、取付枠５２０が壁面より沈み込んで施工されると、押釦スイッチ５１０とともにピアノハンドル５００も沈み込むことになる。ピアノハンドル５００は、図示しない化粧プレート枠とともに、取付枠５２０及び押釦スイッチ５１０の外周面を装飾する機能をも有している。しかし、上記のようにピアノハンドル５００が沈み込むと、化粧プレート枠とピアノハンドル５００との間に段差が生じ、外観を悪化させてしまう。なお、化粧プレート枠は、取付枠５２０が沈み込んでも壁面に規制されて適正位置を保つ。
【０００６】
また、従来のピアノハンドル式スイッチは、上述したように押釦スイッチ５１０に凹部５１２を形成し、この凹部５１２内で移動規制用係止片５０１が移動する構成となっていたが、凹部５１２を有する押釦スイッチ５１０の成形は、複雑な形状ゆえに困難をともない、歩留りが悪いという欠点があった。また、凹部５１２内で移動させる移動規制用係止片５０１は、その構造上、長尺な形状となり破損しやすいという欠点があった。
【０００７】
本発明は、このような事情に鑑みてなされたもので、取付枠の状態に関わらず化粧プレート枠とピアノハンドルとの間の配置を適正な配置に保持して外観品質の向上を図ることを目的とする。
また本発明は、プッシュ式スイッチ（押釦スイッチ）の形状を簡素化して生産性を向上させることを目的とする。さらに、ピアノハンドルの移動規制用係止片に相当する構成部分を、破損しにくくすることを目的とする。
【０００８】
【課題を解決するための手段】
上記目的を達成するために、本発明は、押圧体の押し込みに連動して内部の可動接点部材が作動するプッシュ式スイッチと、このプッシュ式スイッチの押圧体に押し込み力を伝えるピアノハンドルと、プッシュ式スイッチが装着される取付枠と、この取付枠に装着される化粧プレート枠とを備えた配線器具であって、ピアノハンドルを、化粧プレート枠に回動自在に装着する構成としたことを特徴とする。
このように構成したことにより、取付枠が沈み込んでもピアノハンドルは化粧プレート枠に支持されているので、化粧プレート枠との間の配置関係にずれを生じることがなく、高品質な外観を保持することができる。
【０００９】
上記配線器具において、化粧プレート枠は、例えば、ピアノハンドルが配置される開口部を有するとともに、該開口部の一端縁部にピアノハンドルが回動自在に支持される支持部を形成して構成することができる。また、ピアノハンドルは、前記支持部へ回動自在に係合する支持係合部を一端縁部に有する構成とすることができる。
【００１０】
また、本発明は、プッシュ式スイッチのボス部を突出して形成するとともに、このボス部の上端角部に係止部を形成し、かつ、上記係止部に係合してピアノハンドルの回動範囲を規制する係合部を、ピアノハンドルの下面から垂下して設けることが好ましい。
このように構成することにより、プッシュ式スイッチの構成が簡単になり（すなわち、係合部の移動領域を確保するための凹部を形成する必要がなくなり）、生産性が向上する。しかも、ピアノハンドルの下面から垂下して設ける係合部を、破損しにくい短尺な形状とすることが可能となる。
【００１１】
また、化粧プレート枠は、前記取付枠に装着するプレート枠と、このプレート枠に装着する化粧プレートとで構成することができる。
【００１２】
さらに、取付枠は、プッシュ式スイッチが装着される絶縁性の本体枠と、この本体枠に装着される金属製の補強枠とで構成することができる。
【００１３】
本発明のピアノハンドルは、押圧体の押し込みに連動して内部の可動接点部材が作動するプッシュ式スイッチと、このプッシュ式スイッチが装着される取付枠と、この取付枠に装着される化粧プレート枠とを含む配線器具に用いられるピアノハンドルであって、化粧プレート枠に回動自在に装着され、プッシュ式スイッチの押圧体に押し込み力を伝えることを特徴としている。
【００１４】
また、本発明の化粧プレート枠は、押圧体の押し込みに連動して内部の可動接点部材が作動するプッシュ式スイッチと、このプッシュ式スイッチの押圧体に押し込み力を伝えるピアノハンドルと、プッシュ式スイッチが装着される取付枠とを含む配線器具に用いられる化粧プレート枠であって、取付枠に装着されるとともに、ピアノハンドルを回動自在に装着することを特徴としている。
【００１５】
さらに、本発明のプッシュ式スイッチは、取付枠と、この取付枠に装着される化粧プレート枠と、この化粧プレート枠に回動自在に装着されるとともに、係合部が下面から垂下して形成されたピアノハンドルとを含む配線器具に用いられるプッシュ式スイッチであって、ボス部に、ピアノハンドルの係合部が係合して同ピアノハンドルの回動範囲を規制する係止部を形成したことを特徴としている。
【００１６】
【発明の実施の形態】
以下、この発明の実施の形態について図面を参照して詳細に説明する。
図１は配線器具の外観を示す斜視図、図２は配線器具の全体構成を示す正面断面図、図３は配線器具の全体構成（プッシュ式スイッチを除く）を示す分解斜視図、図４はプッシュ式スイッチの外観を示す斜視図である。
【００１７】
図３及び図４に示すように、配線器具は、プッシュ式スイッチ１、ピアノハンドル２、取付枠３、プレート枠４ａ及び化粧プレート４ｂからなる化粧プレート枠４を構成部品として備えている。
【００１８】
取付枠３は、図２に示すように、絶縁性の樹脂材で形成した本体枠３０１と、この本体枠３０１の外周に装着される金属製の補強枠３０２とで構成され、本体枠３０１が室内の壁面に埋設した配線ボックスなどにねじ止めされる。
本体枠３０１の中央部は、プッシュ式スイッチ１を配置するための開口部３０３を形成しており（図３参照）、この開口部３０３の対向する縁部に、プッシュ式スイッチ１を装着する係止部３０４が設けてある（図２参照）。
【００１９】
図５はプッシュ式スイッチの分解斜視図、図６（ａ）はプッシュ式スイッチの平面図、図６（ｂ）は同じく正面図、図６（ｃ）は同じく正面断面図である。
これらの図面に示すように、プッシュ式スイッチ１の本体１００は、器体１０１および蓋体１０２からなり、器体１０１の内部には、端子部材１０３、解除ボタン１０４、固定接点部材１０５、可動接点支持端子１０６、同支持端子１０６に回動自在に支持される可動接点部材１０７が組み込まれている。
【００２０】
端子部材１０３は、いわゆるねじ無し端子構造を構成しており、器体１０１の底部に形成した電線挿入孔１０１ａから差し込まれる電線を挾持して、固定接点部材１０５又は可動接点支持端子１０６と電気的に導通させる。解除ボタン１０４は、端子部材１０３による屋内配線の挾持状態を解除するためのもので、器体１０１に形成した解除孔１０１ｂに、ドライバ等の工具を差し込むことで操作できるようになっている。
【００２１】
固定接点部材１０５は金属板を屈曲形成してなり、一部に固定接点１０５ａが設けられている。可動接点支持端子１０６及び可動接点部材１０７も金属製であり、可動接点部材１０７の先端部には可動接点１０７ａが設けられている。可動接点部材１０７の基端部は、可動接点支持端子１０６に形成した可動接点支持ばね部１０６ａに、回動自在に支持されている。この可動接点部材１０７の回動に伴い、可動接点１０７ａが固定接点１０５ａに接触又は離間する。
【００２２】
可動接点部材１０７を回動させる接点開閉機構は、押圧体１１０、スライド駆動体１１１、付勢部材１１２、及び転換子１１３で構成されている。押圧体１１０は、蓋体１０２のボス部１０２Ａに形成した凹部１０２ｂに挿入され、図６（ｃ）の上下方向に移動自在となっている。押圧体１１０の側壁には爪片１１０ａが形成してあり、この爪片１１０ａが蓋体１０２の内壁に形成した段部１０２ａに係合して押圧体１１０の抜けが防止されている。
【００２３】
押圧体１１０の上壁内面は、スライド駆動体１１１の摺動案内部を形成しており、同案内部に沿ってスライド駆動体１１１が図６（ｃ）の左右方向に移動自在となっている。また、押圧体１１０の上壁表面の中央部には、受け部１１０ｂを形成する凸条が形成してある。後述するように、この受け部１１０ｂでピアノハンドルから伝えられる押し込み力を受け、押圧体１１０が下方に押し込まれる。
【００２４】
さらに、押圧体１１０の上壁中央部には、開口部１１０ｃが形成してある。この開口部１１０ｃは、後述するように転換子１１３の駆動突起１１３ｇを上方へ貫通させるためのものである。同様に、スライド駆動体１１１の中央部にも、転換子１１３の駆動突起１１３ｇを上方へ貫通させるための開口部１１１ｄが形成してある。
【００２５】
付勢部材１１２は、図５に示すように、基板１１２ａから延出する押圧体付勢用ばね部１１２ｂ及びスライド駆動体付勢用ばね部１１２ｃを備えている。この付勢部材１１２は、蓋体１０２のボス部１０２Ａに形成した凹部１０２ｂ内に配置され、押圧体付勢用ばね部１１２ｂにより押圧体１１０を図６（ｃ）の上方向（復元方向）に付勢している。
【００２６】
また、スライド駆動体付勢用ばね部１１２ｃは、スライド駆動体１１１の両側端面を外側から付勢している。この付勢力によりスライド駆動体１１１は中央位置に戻ることができる。また、基板１１２ａの中央部には、スライド駆動体１１１の一部が貫通できる開口部１１２ｄが形成してある。
【００２７】
スライド駆動体１１１の底面には、中央部に係合凸部１１１ａが形成してあり（図５参照）、さらに係合凸部１１１ａの両側方に第１，第２の押圧凸部１１１ｂ，１１１ｃが形成してある。これら各凸部１１１ａ，１１１ｂ，１１１ｃは、付勢部材１１２に形成した開口部１１２ｄから下方に突き出している。
【００２８】
蓋体１０２のボス部１０２Ａに形成した凹部１０２ｂの底部中央部にも開口部１０２ｃが形成してあり、各凸部１１１ａ，１１１ｂ，１１１ｃは、この開口部１０２ｃをとおして下方に移動することができる。なお、付勢部材１１２の開口部１１２ｄ、及び蓋体１０２の開口部１０２ｃは、それぞれスライド駆動体１１１の横方向への移動を許容する大きさに形成してある。
【００２９】
転換子１１３は、頭部の略中央に駆動突起１１３ｇが形成してある。この駆動突起１１３ｇは、蓋体１０２に形成した開口部１０２ｃ、付勢部材１１２に形成した開口部１１２ｄ、スライド駆動体１１１に形成した開口部１１１ｄ、押圧体１１０に形成した開口部１１０ｃをそれぞれ貫通して、上方に突出する。
【００３０】
さらに、転換子１１３の上面中央部両脇（すなわち、駆動突起１３１ｇの両脇）には、山形の凸条１１３Ａが形成してあり、この凸条１１３Ａの斜面は、第１，第２スライド案内面１１３ａ，１１３ｂとなっている。また、凸条１１３Ａの両端には支点部１１３ｃ，１１３ｃが形成してあり、これらの支点部１１３ｃ，１１３ｃが、蓋体１０２に形成した支持溝１０２ｄに回動自在に支持されている。
【００３１】
この状態で、凸条１１３Ａは、中央位置にあるスライド駆動体１１１の係合凸部１１１ａと対向している。さらに、凸条１１３Ａの両側方部位には、第１，第２の押圧受部１１３ｄ，１１３ｅが形成してある。第１の押圧受部１１３ｄは、中央位置にあるスライド駆動体１１１に形成した第１の押圧凸部１１１ｂと対向する。また、第２の押圧受部１１３ｅは、中央位置にあるスライド駆動体１１１に形成した第２の押圧凸部１１１ｃと対向する。
【００３２】
転換子１１３の下端部には、可動接点部材１０７への係止部１１３ｆが形成してあり、この係止部１１３ｆが可動接点部材１０７の両側上端縁に係止されている。これにより転換子１１３と可動接点部材１０７はリンク機構を形成し、転換子１１３の回動に連動して可動接点部材１０７も回動する。
【００３３】
器体１０１の内底部には、図６（ｃ）に示すように、コイルばね１１５が配置してあり、このコイルばね１１５によって可動接点部材１０７及び転換子１１３が蓋体１０２の支持溝１０２ｄ側に付勢されている。この付勢力により、転換子１１３と可動接点部材１０７で形成してリンク機構は、トグル機構を構成する。
【００３４】
図７はスライド駆動体１１１と転換子１１３の動作説明図である。
ピアノハンドルから伝えられる押し込み力により、押圧体１１０が押し込まれると、図７（ａ）に示すように、スライド駆動体１１１も一体的に押し込み方向（図７の矢印 I方向）へ移動する。
【００３５】
このとき、スライド駆動体１１１に形成した第１の押圧凸部１１１ｂが、転換子１１３の第１の押圧受部１１３ｄに当接すると、図７（ｂ）に示すように、スライド駆動体１１１からの押圧力によって第１の押圧受部１１３ｄが押し込まれ、転換子１１３が一方向（図７の矢印II方向）へ回動する。そして、転換子１１３、可動接点部材１０７、及びコイルばね１１５で構成されるトグル機構の死点を越えると、コイルばね１１５の付勢力をもって、転換子１１３は同方向（図７の矢印II方向）へ回動しようとする。
【００３６】
また、この回動動作と並行して、スライド駆動体１１１に形成した係合凸部１１１ａが転換子１１３の第１スライド案内面１１３ａに摺接し、同面１１３ａに沿ってスライド駆動体１１１が中央位置から横方向（図７の矢印 III方向）に移動する。その結果、スライド駆動体１１１の第２の押圧凸部１１１ｃが、転換子１１３の第２の押圧受部１１３ｅに当接しない位置に移動し、それら各部１１１ｃ，１１３ｅの当接が回避される。
【００３７】
押圧体１１０への押圧力を解除すると、図７（ｃ）に示すように、付勢部材１１２の付勢力により、押圧体１１０が図７の矢印IV方向へ移動するとともに、スライド駆動体１１１も付勢部材１１２の付勢力によって、図７の矢印 V方向に移動して中央位置に戻る。転換子１１３は、コイルばね１１５の付勢力をもって図７の矢印II方向へ回動する。この回動動作に伴い可動接点１０７ａと固定接点１０５ａとの間の接離状態が切り替えられる。
【００３８】
次に、押圧体１１０が押し込み操作により押し込まれると、スライド駆動体１１１が一体的に押し込み方向へ移動し、スライド駆動体１１１に形成した第２の押圧凸部１１１ｃが転換子１１３の第２の押圧受部１１３ｅに当接する。これにより、第２の押圧受部１１３ｅが押し込まれて、転換子１１３が図７の矢印IIと逆の方向へ回動する。
【００３９】
また、この回動動作と並行して、スライド駆動体１１１に形成した係合凸部１１１ａが、転換子１１３の第２スライド案内面１１３ｂに摺接し、同面１１３ｂに沿ってスライド駆動体１１１が中央位置から図７の矢印 V方向に移動する。その結果、スライド駆動体１１１の第１の押圧凸部１１１ｂが、転換子１１３の第１の押圧受部１１３ｄに当接しない位置へ移動し、それら各部１１１ｂ，１１３ｄの当接が回避される。
【００４０】
押圧体１１０への押圧力を解除すると、付勢部材１１２の付勢力により押圧体１１０が、図７の矢印IV方向へ移動するとともに、スライド駆動体１１１も付勢部材１１２の付勢力によって図７の矢印 III方向に移動し中央位置に戻る。転換子１１３は、コイルばね１１５の付勢力をもって図７の矢印IIと逆の方向へ回動する。この回動動作に伴い可動接点１０７ａと固定接点１０５ａとの間の接離状態が切り替えられる。
【００４１】
次に、図１〜図３に戻り、化粧プレート枠の構成を説明する。
既述したように、本実施形態の化粧プレート枠４は、プレート枠４ａと化粧プレート４ｂとにより構成されている。この化粧プレート枠４は、配線器具の外観品質を高める目的で、既述した取付枠３の外周に装着される。
【００４２】
プレート枠４ａには、図３に示すように、中央部に化粧プレート４ｂを装着するための開口部４０１が形成してある。この開口部４０１の縁部からは、図２に示すように、下方に係止爪４０２が延出しており、この係止爪４０２が、取付枠３の一部を構成する補強枠３０２に形成した係合溝３０５の縁部に係合して、取付枠３の外周に装着可能となっている。
【００４３】
化粧プレート４ｂには、図２に示すように、外周縁部から下方に係止爪４０３が延出しており、この係止爪４０３がプレート枠４ａに形成した開口部４０１の周縁に係合する。これにより、化粧プレート４ｂはプレート枠４ａの開口部４０１に装着される。
図８は化粧プレート枠４とピアノハンドル２の外観を示す斜視図である。
【００４４】
また、化粧プレート４ｂの中央部には、ピアノハンドル２を配置するための開口部４０４が形成してある。さらに、この開口部４０４の一端縁部には、ピアノハンドル２を回動自在に支持するための支持部４０５が形成してある。この支持部は、開口部４０４の一端縁部からＬ字状に延出する基部４０５ａと、この基部４０５ａの先端における適所に形成した断面円形の軸部４０５ｂとから構成してある。
【００４５】
次に、ピアノハンドルの構成を説明する。ピアノハンドル２は、プッシュ式スイッチ１の押圧体１１０に押し込み力を伝えるためのものである。
図９はピアノハンドル２の本体２００を斜め下方から看た斜視図、図１０はピアノハンドル２の各構成部品を斜め上方から看た分解斜視図、図１１は同じく斜め下方から看た分解斜視図である。
【００４６】
図９に示すように、ピアノハンドル本体２００の一端縁部には、下面の適所に支持係合部２０１が形成してあり、これら支持係合部２０１が、図２及び図８に示した化粧プレート枠４の支持部４０５（特に軸部４０５ｂ）へ回動自在に係合する。この実施形態では、支持係合部２０１を、一対の挟持爪２０１ａ，２０１ｂで形成してあり、これらの挟持爪２０１ａ，２０１ｂで支持部４０５を弾力的に挟持して係合状態を保持する。
すなわち、ピアノハンドル２は、化粧プレート枠４の支持部４０５に支持係合部２０１を係合させることにより装着される。このように装着されたピアノハンドル２は、化粧プレート４ｂの開口部４０４内に回動自在に配置される（図１参照）。
【００４７】
また、ピアノハンドル本体２００の前部中央部には、図１０に示すように、表示用開口部２０２が形成してある。そして、ピアノハンドル本体２００の表面には、この表示用開口部２０２を含み横方向に延びる凹部２０３が形成してあり、この凹部２０３に透明なプラスチック材料からなる透明板２０４が装着される。この透明板２０４の装着に超音波溶着を用いることで、透明板２０４を凹部２０３の底面へ強固に溶着することができる。このようにして溶着された透明板２０４により、表示用開口部２０２の表面側が被覆される。
【００４８】
ここで、透明板２０４の表面には、模様を有するフィルム部材２０５が貼り付けてある。模様は、表示用開口部２０２と対向する領域以外に印刷してあり、この模様によって超音波溶着した箇所を覆い隠し、外観品質を保持している。
【００４９】
また、ピアノハンドル本体２００の裏面側には、表示用開口部２０２へ表示片２０６を配置するための構造が設けてある(図９及び図１１参照)。
すなわち、ピアノハンドル本体２００の裏面側において、表示用開口部２０２の縁部のうち、互いに対向する前後の縁部には、表示片保持体２０７をスライドさせる蟻溝状の案内レール部２０８が形成してある（図９参照）。さらに、案内レール部２０８と隣接する一方の裏面側縁部からは、表示用開口部２０２と略同じ面積の平坦な溝部２０９が連続して形成してある。
【００５０】
表示片保持体２０７は平板状の基部２０７ａを有し、この基部２０７ａが表示用開口部２０２に配置可能な大きさに形成してある。表示片２０６も、この基部２０７ａと同様、表示用開口部２０２に配置可能な大きさとなっている。表示片２０６の表面には、例えば、配線器具の制御対象（例えば、「照明」、「換気扇」）など、適宜の表示が記載される。
【００５１】
この表示片２０６は、裏面側から表示用開口部２０２に配置される。次いで、表示片保持体２０７の基部２０７ａを溝部２０９に配置し、続いて案内レール部２０８に沿って基部２０７ａをスライドすることにより、表示用開口部２０２に配置した表示片２０６の裏面側を閉塞することができる。
【００５２】
また、案内レール部２０８には、図１１に示すように、小さな山形の係止爪（係止手段）２０８ａが形成してあり、一方、表示片保持体２０７における基部２０７ａの一側面には、図９に示すように、係合突起２０７ｂが形成してある。この係合突起２０７ｂは、スライド案内部２０８に沿って表示用開口部２０２へと表示片保持体２０７が移動してきたとき、係止爪２０８ａをのり越える。その結果、係止爪２０８ａに係合突起２０７ｂの移動が規制され、表示片保持体２０７を表示用開口部２０２に固定することができる。
【００５３】
また、溝部２０９と対向する位置には、図９に示すような支持板２１０が取り付けられる。すなわち、支持板２１０の両端部には取付孔２１０ａが穿設してあり、これらの取付孔２１０ａを溝部２０９の縁部近くに形成した突起２０９ａに嵌め合わせ、その後、突起２０９ａを熱溶解して支持板２１０を固着する。なお、支持板２１０を取り付ける前に、表示片保持体２０７を溝部２０９に嵌め込んでおかなければならないことは勿論である。
【００５４】
表示片保持体２０７の基部２０７ａからは、図９に示すように、垂下片２０７ｃが延出しており、その垂下片２０７ｃの先端部に爪状の係合部２０７ｄが形成してある。この垂下片２０７ｃは、表示片保持体２０７がピアノハンドル本体２００の裏面側に装着される結果、同本体２００の裏面側から垂下することになる。
一方、図４〜図６に戻って、プッシュ式スイッチ１のボス部１０２Ａには、その上端角部に上記係合部２０７ｄを係止するための係止部１０２ｅが形成してある。
【００５５】
図２に戻って、これら係合部２０７ｄと係止部１０２ｅの作用を説明すると、化粧プレート枠４に装着されたピアノハンドル２は、支持部４０５を中心に回動自在となっており、その一方向（図２の反時計周り）の回動範囲を、係合部２０７ｄが係止部１０２ｅに係合して規制する。これにより、ピアノハンドル２が、外側に開いてしまう不都合を防止している。
【００５６】
ここで、プッシュ式スイッチ１のボス部１０２Ａの高さは、後述するように押し込み操作されるピアノハンドル２の回動範囲をカバーする寸法に設定してある。
このような高さにボス部１０２Ａを突き出し、その上端角部に係止部１０２ｅを形成することで、垂下片２０７ｃを短くすることができ、しかもプッシュ式スイッチ１を簡素な形状とすることができる。
【００５７】
次に、図１０及び図１１に戻り、ピアノハンドルに形成した状態表示手段について説明する。
状態表示手段は、状態表示窓２２０、回動表示体２３０、操作体２４０、及び保持体２５０の各構成部品を備えている。
【００５８】
状態表示窓２２０は、ピアノハンドル２の略中央部に貫通して形成してある。この状態表示窓２２０の裏面側の周囲には支持壁２２１が形成してあり、この支持壁２２１の両側中央部に軸受部２２２が形成してある。
軸受部２２２には、回動表示体２３０が回動自在に支持される。回動表示体２３０は、図示のごとく台形状の本体２３１を有し、軸受部２２２に支持される支軸２３２は、この本体２３１の両側面から延出している。このように軸受部２２２に支持された回動表示体２３０は、本体２３１が状態表示窓２２０から露出する（図２参照）。
【００５９】
また、回動表示体２３０の本体２３１は、図２に示すように、底面から内部にかけて案内溝２３３が形成してある。一方、操作体２４０の上面には操作凸部２４１が形成してあり、この操作凸部２４１の頭部が、回動表示体２３０に形成した案内溝２３３の内面に接触するように配置される。案内溝２３３の内面は、操作凸部２４１の頭部が横方向（図２の左右方向）に移動したとき、その頭部の接触圧が回動表示体２３０を回動させる力となるような、所定の曲面形状に形成されている。
【００６０】
また、操作体２４０には、図１１に示すように，横方向の両端部から下方に当接板２４２が延出している。さらに、操作体２４０の前後方向の両端部からは、ばね性を有する脚部２４３が延出している。
保持体２５０は、本体２５１の中央部に開口部２５２を有し、その開口部２５２の両脇が操作体２４０の脚部２４３を案内するスライド面２５１ａとなっている。開口部２５２は、上記操作体２４０の当接板２４２より僅かに広い幅に形成してある。
【００６１】
図２に示すように、上記操作体２４０は、操作凸部２４１が回動表示体２３０の案内溝２３３に挿入されるとともに、当接板２４２が保持体２５０の開口部２５２内に配置され、さらに脚部２４３がスライド面２５１ａ上に配置される。そして、保持体２５０の本体２５１における横方向の両端部からは、上方に係止爪２５３が延出しており、この係止爪２５３が支持壁２２１の両側面に形成した係止溝２２３に係合して、回動表示体２３０及び操作体２４０をピアノハンドル２の裏面側に保持する。この状態で、操作体２４０は、脚部２４３のばね力により回動表示体２３０を上方に付勢している。
【００６２】
また、保持体２５０における本体２５１の下面中央部には、押圧部２５４が突出して形成してある。この押圧部２５４は、図２に示すように組み立てられた配線器具において、プッシュ式スイッチ１の押圧体１１０に形成した受け部１１０ｂと接触し、ピアノハンドル２の押し込み操作に伴い、その押し込み力を押圧体１１０に伝える。
【００６３】
また、プッシュ式スイッチ１の転換子１１３から突出する駆動突起１１３ｇは、操作体２４０に形成した二枚の当接板２４２の間に配置される。既述したように、駆動突起１１３ｇは、転換子１１３の頭部中央から直線状に延出するだけの簡単な形状をしているため、成形が容易である。しかも、押圧体１１０の上壁中央部とスライド駆動体１１１の中央部とに開口部１１０ｃ，１１１ｄを形成するだけで、操作体２４０の下部まで延出させることができるので、プッシュ式スイッチ１の構造も簡素化する。
【００６４】
次に、上述した状態表示手段の作用について、図２及び図１２〜図１４を参照して説明する。
まず、図２に示す状態から図１２に示すように、ピアノハンドル２を押し込み操作すると、その押し込み力が保持体２５０の押圧部２５４から、プッシュ式スイッチ１の押圧体１１０に形成した受け部１１０ｂに伝えられ、これにより押圧体１１０が押し下げられて、既述したとおりに転換子１１３及び可動接点部材１０７が動作する。
【００６５】
転換子１１３は、押圧体１１０の押し込みにより、図の反時計方向に回動する。この回動に伴い、駆動突起１１３ｇが操作体２４０を図２の左方向にスライドさせ、図１２に示す位置にもっていく。この過程で、回動表示体２３０は、案内溝２３３の内面が操作体２４０の操作凸部２４１から受ける接触圧により、図の反時計方向に回動していく。
【００６６】
続いて、ピアノハンドル２の押し込み力を解除すると、ピアノハンドル２は、図１３に示すように、図示反時計方向に回動して元に戻る。このとき転換子１１３は、図の反時計方向にさらに回動する。この回動に伴い、駆動突起１１３ｇが操作体２４０を図の左方向にスライドさせ、図１３に示す位置にもっていく。この過程でも、回動表示体２３０は、案内溝２３３の内面が操作体２４０の操作凸部２４１から受ける接触圧により、図の反時計方向に回動していく。
【００６７】
以上により、回動表示体２３０の傾き姿勢が変更される。この傾き姿勢の変更動作は、プッシュ式スイッチ１に設けた可動接点部材１０７の切替え動作に対応しているため、その傾き姿勢により可動接点部材１０７の切替え状態を認識することができる。
特に、この回動表示体２３０は、ピアノハンドル２の表面から露出しているので、視覚障害をもつユーザであっても、回動表示体２３０を指で触ることによりその傾きを確認し、可動接点部材１０７の切替え状態を認識することができるという特徴を有している。
【００６８】
なお、図１３の状態からピアノハンドル２を押し込み操作した場合には、上述したと同様の動作により、図１３から図１４、そして図２の状態へと切り替わり、回動表示体２３０の傾き姿勢が変更される。
【００６９】
図１５〜図１８は状態表示手段の他の実施形態を示す図である。
この実施形態では、図１６に示すように、状態表示窓２２０、可動表示板２６０、固定表示板２７０、操作体２８０、及び保持体２５０を主な構成部品として、状態表示手段を構成してある。
【００７０】
状態表示窓２２０は、ピアノハンドル２の略中央部に貫通して形成してあり、その表面側には、透明板２９０が貼り付けてある。この状態表示窓２２０の裏面側で対向する前後の縁部には、図１６に示すように、可動表示板２６０をスライドさせるための案内レール部２２４が形成してある。可動表示板２６０は、この案内レール部２２４に沿ってスライド自在に組み込まれる。
【００７１】
可動表示板２６０の表面前部には、例えばスイッチのＯＮ状態を示す「入」の文字が印刷してあり、この文字が可動表示板２６０のスライドにより、状態表示窓２２０と対向する部位に出没する構成となっている。その文字は、状態表示窓２２０と対向する位置に配置されたとき、状態表示窓２２０をとおして外部から視認可能となる。
【００７２】
また、ピアノハンドル２の裏面側で、状態表示窓２２０と対向する部位には、固定表示板２７０が装着してある。この固定表示板２７０の表面には、例えばスイッチのＯＦＦ状態を示す「切」の文字が印刷してあり、この文字が状態表示窓２２０をとおして外部から視認可能となっている。ここで、状態表示窓２２０と固定表示板２７０との間には、可動表示板２６０が進入できる間隔を設定してある。
【００７３】
すなわち、可動表示板２６０が状態表示窓２２０と対向する位置にスライドしたとき、状態表示窓２２０には、可動表示板２６０に印刷された文字（例えば「ＯＮ」の文字）が表示され、一方、可動表示板２６０が状態表示窓２２０から外れたとき、状態表示窓２２０には固定表示板２７０に印刷された文字（例えば「ＯＦＦ」の文字）が表示される。
【００７４】
操作体２８０には、図１６に示すように、上面に可動表示板２６０を取り付けるための突起２８１が延出しており、可動表示板２６０に形成してある取付孔２６１をこの突起２８１に嵌め合わせ、その後、突起２８１を熱溶解することにより、操作体２８０と可動表示板２６０とが一体化される。また、操作体２８０における横方向の両端部からは、下方に当接板２８２が延出している。さらに、操作体２８０の前後方向の両端部からは、脚部２８３が延出している。
【００７５】
保持体２５０は、本体２５１の中央部に開口部２５２を有し、その開口部２５２の両脇が操作体２８０の脚部２８３を案内するスライド面２５１ａとなっている。開口部２５２は、上記操作体２８０の当接板２８２より僅かに広い幅に形成してある。
また、ピアノハンドル２の裏面側には、図１７に示すように、この保持体２５０を支持するための支持壁２２５が設けてあり、その両側面に係止溝２２６が形成してある（図１７参照）。
【００７６】
上記操作体２８０は、当接板２８２が保持体２５０の開口部２５２内に配置され、さらに脚部２８３がスライド面２５１ａ上に配置される。そして、保持体２５０の本体２５１における横方向の両端部からは、上方に係止爪２５３が延出しており、この係止爪２５３が支持壁２２５に形成した係止溝２２６に係合して、可動表示板２６０、固定表示板２７０、付勢部材２８４、及び操作体２８０をピアノハンドル２の裏面側に保持する。
このように保持された操作体２８０は、コイルばね等の付勢部材２８４により、図１７の左方向に常時付勢されている。
【００７７】
また、保持体２５０における本体２５１の下面中央部には、押圧部２５４が突出して形成してある。この押圧部２５４は、図１７に示すように組み立てられた配線器具において、プッシュ式スイッチ１の押圧体１１０に形成した受け部１１０ｂと接触し、ピアノハンドル２の押し込み操作に伴い、その押し込み力を押圧体１１０に伝える。
【００７８】
また、プッシュ式スイッチ１の転換子１１３から突出する駆動突起１１３ｇは、操作体２８０に形成した二枚の当接板２８２の間に配置される。この実施形態でも、駆動突起１１３ｇは、転換子１１３の頭部中央から直線状に延出するだけの簡単な形状をしているため、成形が容易である。しかも、押圧体１１０の上壁中央部とスライド駆動体１１１の中央部とに開口部１１０ｃ，１１１ｄを形成するだけで、操作体２８０の下部まで延出させることができるので、プッシュ式スイッチ１の構造も簡素化する。
【００７９】
次に、上述した状態表示手段の作用について、図１７及び図１８を参照して説明する。
図１７に示す状態では、操作体２８０が付勢部材２８４の付勢力により、図の左方向に押し付けられている。可動表示板２６０も操作体２８０と一体に図の左方向に移動し、状態表示窓２２０から外れている。したがって、外部からは、固定表示板２７０に印刷された文字（例えば「切」）が状態表示窓２２０をとおして視認される。このとき、可動接点部材は、固定表示板２７０が示す文字の状態になっている。なお、可動表示板２６０及び操作体２８０は、付勢部材２８４により左方向に押し付けられているので、がたつきなくその位置で保持される
【００８０】
次に、図１７に示す状態からピアノハンドル２を押し込み、続いてその押し込み力を解除すると、プッシュ式スイッチ１の可動接点部材１０７が切り替わるとともに、転換子１１３が図の時計方向に回動して、図１８の状態に変わる。
【００８１】
この転換子１１３の回動に伴い、駆動突起１１３ｇが操作体２８０を図の右方向へ押圧し、その押圧力によって操作体２８０が付勢部材２８４の付勢力に抗して図の右方向にスライドする。この操作体２８０の移動に伴い、可動表示板２６０も一体にスライドし、図１８に示すように、状態表示窓２２０と対向する位置に配置される。したがって、外部からは、可動表示板２６０に印刷された文字（例えば「入」）が状態表示窓２２０をとおして視認される。
【００８２】
このように、本実施形態の状態表示手段では、ピアノハンドル２に形成した状態表示窓２２０に、外部から視認できる文字等が切り替わって表示され、その表示をもってプッシュ式スイッチ１の状態が示されるので、ユーザは表示窓２２０の表示を確認するだけで、プッシュ式スイッチ１の状態を把握できる。
【００８３】
図１９及び図２０はピアノハンドル２の化粧プレート枠への装着構造に関する変形例を示す図である。
図９に示した構造では、支持係合部２０１を一対の挟持爪２０１ａ，２０１ｂで形成し、これらの挟持爪２０１ａ，２０１ｂで支持部４０５を弾力的に挟持して係合状態を保持していた。これに対し、図１９及び図２０に示す構造では、支持係合部を、ピアノハンドル本体２００の一端縁部から延出する挟持爪２０１ａと、この挟持爪２０１ａに対向して設けた板ばね等からなる挟持ばね２０１ｃとにより構成し、これら挟持爪２０１ａと挟持ばね２０１ｃとにより支持部４０５を弾力的に挟持している。
この構成によれば、挟持ばね２０１ｃの追加により部品点数が増加するものの、挟持爪２０１ｂが省略されるため、ピアノハンドル２を樹脂成形する際に用いられる成形型のキャビティ形状を簡素化できるメリットがある。
【００８４】
図２１は取付枠３と化粧プレート枠４の変形例を示す図である
先の実施形態では、図３に示したように、取付枠３を、絶縁性の樹脂材で形成した本体枠３０１と、この本体枠３０１の外周に装着される金属製の補強枠３０２とで構成したが、これら本体枠３０１と補強枠３０２に相当する構造を絶縁性の樹脂材により一体成形した、一枚の取付枠３１０とすることもできる（図２１参照）。
【００８５】
また、先の実施形態では、図３に示したように、化粧プレート枠４を、プレート枠４ａと化粧プレート４ｂとで構成したが、これらプレート枠４ａと化粧プレート４ｂに相当する構造を一体成形した、一枚の化粧プレート枠４１０とすることもできる（図２１参照）。
【００８６】
【発明の効果】
以上説明したように、この発明によれば、ピアノハンドルを化粧プレート枠に回動自在に装着する構成としたので、取付枠の状態に関わらず化粧プレート枠とピアノハンドルとの間が適正な配置に保持され、その結果、外観品質が向上する。
また、プッシュ式スイッチのボス部を突出して形成するとともに、このボス部の上端角部に係止部を形成し、かつ、上記係止部に係合してピアノハンドルの回動範囲を規制する係合部を、ピアノハンドルの下面から垂下して設けたので、プッシュ式スイッチの構成が簡単になり（すなわち、従来のごとく係合部の移動領域を確保するための凹部を形成する必要がなくなり）、生産性が向上する。しかも、ピアノハンドルの下面から垂下して設ける係合部を、破損しにくい短尺な形状とすることが可能となる。
【図面の簡単な説明】
【図１】配線器具の外観を示す斜視図である。
【図２】配線器具の全体構成を示す正面断面図である。
【図３】配線器具の全体構成（プッシュ式スイッチを除く）を示す分解斜視図である。
【図４】プッシュ式スイッチの外観を示す斜視図である。
【図５】プッシュ式スイッチの分解斜視図である。
【図６】プッシュ式スイッチを示す図で、（ａ）は平面図、（ｂ）は正面図、（ｃ）は正面断面図である。
【図７】スライド駆動体と転換子の動作説明図である。
【図８】化粧プレート枠とピアノハンドルの外観を示す斜視図である。
【図９】ピアノハンドルの本体を斜め下方から看た斜視図である。
【図１０】ピアノハンドルの各構成部品を斜め上方から看た分解斜視図である。
【図１１】同じくピアノハンドルの各構成部品を斜め下方から看た分解斜視図である。
【図１２】状態表示手段の作用を説明するための正面断面図である。
【図１３】状態表示手段の作用を説明するための、図１２に続く正面断面図である。
【図１４】状態表示手段の作用を説明するための、図１３に続く正面断面図である。
【図１５】状態表示手段の他の実施形態を示す斜視図である。
【図１６】同じく状態表示手段の他の実施形態を示す分解斜視図である。
【図１７】図１５及び図１６に示す状態表示手段の作用を説明するための正面断面図である。
【図１８】図１５及び図１６に示す状態表示手段の作用を説明するための、図１７に続く正面断面図である。
【図１９】ピアノハンドルの化粧プレート枠への装着構造に関する変形例を示す分解斜視図である。
【図２０】同じくピアノハンドルの化粧プレート枠への装着構造に関する変形例を示す正面断面図である。
【図２１】取付枠と化粧プレート枠の変形例を示す分解斜視図である。
【図２２】従来技術を一部切欠いて示す正面図である。
【図２３】従来技術の課題を説明するための分解斜視図である。
【符号の説明】
１：プッシュ式スイッチ    ２：ピアノハンドル
３：取付枠                ４：化粧プレート枠
【図１】
0004049345.tif 000002
【図２】
0004049345.tif 000003
【図３】
0004049345.tif 000004
【図４】
0004049345.tif 000005
【図５】
0004049345.tif 000006
【図６】
0004049345.tif 000007
【図７】
0004049345.tif 000008
【図８】
0004049345.tif 000009
【図９】
0004049345.tif 000010
【図１０】
0004049345.tif 000011
【図１１】
0004049345.tif 000012
【図１２】
0004049345.tif 000013
【図１３】
0004049345.tif 000014
【図１４】
0004049345.tif 000015
【図１５】
0004049345.tif 000016
【図１６】
0004049345.tif 000017
【図１７】
0004049345.tif 000018
【図１８】
0004049345.tif 000019
【図１９】
0004049345.tif 000020
【図２０】
0004049345.tif 000021
【図２１】
0004049345.tif 000022
【図２２】
0004049345.tif 000023
【図２３】
0004049345.tif 000024